(57)【要約】【課題】使用者による中間転写体、並びに、像担持体、現像装置などを備えた画像形成部へのアクセスを容易にし、中間転写体の修復或いは交換、又は、ジャム処理時ののジャム処理性、操作性を大幅に向上させたカラー画像形成装置を提供する。【解決手段】中間転写ユニット５を担持し、中間転写ユニット５を作動状態と不作動状態との間で移動可能なように、画像形成装置本体２００に対して開閉自在に取り付けられた中間転写ユニット保持手段１００を備え、中間転写ユニット５は、中間転写ユニット保持手段１００に対して着脱自在に装着されている。【選択図】図４
2005148411.tif 000002
【特許請求の範囲】
【請求項１】
トナー像が形成される複数の像担持体と、前記複数の像担持体上のトナー像を順次転写するために前記複数の像担持体に沿って移動可能な中間転写体を有する中間転写ユニットとを備えたカラー画像形成装置において、
前記中間転写ユニットを保持し、前記中間転写ユニットを作動状態と不作動状態との間で移動可能なように、画像形成装置本体に対して開閉自在に取り付けられた中間転写ユニット保持手段を備え、前記中間転写ユニットは、前記中間転写ユニット保持手段に対して着脱自在に装着されていることを特徴とするカラー画像形成装置。
【請求項２】
前記中間転写ユニットは、前記中間転写ユニット保持手段に対して押圧部材により浮動状態にて取り付けられており、前記中間転写ユニット保持手段を前記画像形成装置本体に対して閉状態に設置することにより、前記中間転写ユニットは作動状態に位置決めされることを特徴とする請求項１のカラー画像形成装置。
【請求項３】
前記押圧部材の押圧力は、前記中間転写ユニットが前記画像形成装置本体に位置決めされた際に前記画像形成装置本体との間で発生する反発力よりも大であることを特徴とする請求項２のカラー画像形成装置。
【請求項４】
前記中間転写ユニットは、着脱の際に把持する把手部を有し、前記中間転写ユニット保持手段は、前記中間転写ユニットを保持するための固着部材を有することを特徴とする請求項１、２又は３のカラー画像形成装置。
【請求項５】
前記中間転写ユニット保持手段は、作動状態における中間転写体の回動方向と同方向に回動して開くことを特徴とする請求項１〜４のいずれかの項に記載のカラー画像形成装置。
【請求項６】
前記複数の像担持体は垂直方向に整列して配置され、前記中間転写体は中間転写ベルトであり、前記中間転写ベルトは、前記像担持体に対向する側において下方より上方へと移動することを特徴とする請求項１〜５のいずれかの項に記載のカラー画像形成装置。
【発明の詳細な説明】
【技術分野】
【０００１】
本発明は、電子写真方式を利用したプリンタ、複写機、ファクシミリなどのカラー画像形成装置に関するものである。
【背景技術】
【０００２】
従来、カラー画像形成装置としては、イエロー、マゼンタ、シアンなどの色現像剤を収納する現像装置、更には、場合により前記３色に加えブラック色の現像剤を収納する現像装置を具備し、これら複数の現像装置を直線的に、或いは、曲線的に配置し、像担持体上に形成された各色の現像剤に対応した静電潜像を現像し、現像像（即ち、トナー像）とする構成のものがある。
【０００３】
また、上記複数のトナー像を転写材上に重ね転写して最終的な可視画像とするまでの転写工程に関しては、直接転写方式と中間転写方式がある。
【０００４】
直接転写方式には像担持体から転写材にトナー像が転写されるので転写材の物性による転写環境や転写材の搬送性などが画質に影響を及ぼす。これに対し、中間転写方式では現像剤を重ね合わせる工程での転写対象が常に同じ物体、即ち、中間転写体なので安定して重ね合わせ画像を得ることができる。
【０００５】
中間転写体を用いたカラー画像形成装置においては、装置本体の寿命よりも短い周期で消耗品である現像剤を使い切る場合がある。その際には、現像剤の補給或いは現像剤を含む現像装置ごと取り替える方法などがある。
【０００６】
更に、中間転写体を用いたカラー画像形成装置においても、使用者の誤った取り扱いとか、不測の損傷とか、長期に渡る使用による劣化などにより不良画像が生じることがある。従って、良好な画像を得るためには、中間転写体を修復又は交換することが不可欠である。
【０００７】
しかしながら、電子写真技術を応用した現像装置及び隣接した像担持体は、一般に、像担持体に静電潜像を形成するための露光装置とか、現像画像の次工程の中間転写体とかに囲まれた状態で配置されることが多い。また、転写材に転写されずに中間転写体上に残っている現像剤を取り除くための清掃機構とか、その除去された現像剤の収容部など複数の構成要素があるため、従来は、例えば、特許文献１に記載するように、現像装置交換のために画像形成装置に複数のドアを設けて，装置本体内部に使用者がアクセス可能にした構成がある。しかしながら、決してメインテナンス性に優れたものとはなっていない。
【０００８】
図１０及び図１１に、従来のカラー画像形成装置の概略構成を示す。
【０００９】
本例にて、カラー画像形成装置は、水平方向に配列された４つの画像形成部ＰＹ、ＰＭ、ＰＣ、ＰＢＫを備え、各画像形成部ＰＹ、ＰＭ、ＰＣ、ＰＢＫは、それぞれ第１の像担持体としてのドラム型の電子写真感光体である感光ドラム１（１Ｙ、１Ｍ、１Ｃ、１ＢＫ）を備えている。
【００１０】
感光ドラム１（１Ｙ、１Ｍ、１Ｃ、１ＢＫ）の周りには、画像形成プロセス手段が配置されている。図１０及び図１１には、画像情報に基づいて感光ドラム１（１Ｙ、１Ｍ、１Ｃ、１ＢＫ）上に静電潜像を形成する露光装置３（３Ｙ、３Ｍ、３Ｃ、３ＢＫ）しか図示されてはいないが、その他に、感光ドラム１（１Ｙ、１Ｍ、１Ｃ、１ＢＫ）表面を均一に帯電させる帯電装置、及び、感光ドラム１（１Ｙ、１Ｍ、１Ｃ、１ＢＫ）上の静電潜像にトナーを付着させてトナー像とする現像装置などが配置されている。
【００１１】
また、４つの画像形成部ＰＹ、ＰＭ、ＰＣ、ＰＢＫの下方には、即ち、感光ドラム１（１Ｙ、１Ｍ、１Ｃ、１ＢＫ）の下方には、感光ドラム１（１Ｙ、１Ｍ、１Ｃ、１ＢＫ）上のトナー像が転写される第二の像担持体としての中間転写ユニット５が設置されている。本実施例にて、中間転写ユニット５は、ローラ５１、５２に巻回された中間転写ベルト５ａを有し、中間転写ベルト５ａは、時計回りに回動している。また、中間転写ベルト５ａの内部から各感光ドラム１（１Ｙ、１Ｍ、１Ｃ、１ＢＫ）に対向して、転写ローラ５ｄＹ、５ｄＭ、５ｄＣ、５ｄＢＫが配置されている。
【００１２】
中間転写ベルト５ａは、中間転写ベルト５ａ上に一つのカラー現像画像を形成した後、転写位置Ｅにて、転写材収納箱６から供給される転写材Ｐへ現像画像を転写させる。
【００１３】
さらに、転写材Ｐは、定着装置８へと搬送され、熱・圧力などを利用して転写材Ｐ上のトナー像を転写材Ｐへと溶融・定着させる。定着装置８を通過した転写材Ｐは、搬送ユニット９により排紙トレイ１０へと排出される。
【００１４】
このように、従来のカラー画像形成装置においては、画像形成装置の上方位置から下方位置へと、露光装置３、像担持体１（像担持体１周辺の帯電装置、現像装置などのプロセス手段）、中間転写ユニット５、転写材収納箱６の順で配置されている。転写材Ｐの搬送下流には定着装置８が配置されている。
【００１５】
本例のカラー画像形成装置では、中間転写ベルト５ａを修復或いは交換、または、ジャム処理などのための画像形成装置内へのアクセスは、図１１に示すように、画像形成装置の上部に形成したアクセスドア１００を開けることによって行われる。また、アクセスドア１００に、露光装置３が一体に設けられている。
【００１６】
一方、画像形成装置本体２００側には、像坦持体３、像担持体周辺のプロセス手段、更には、中間転写ユニット５などが固着されたままとなっている。
【００１７】
従って、中間転写ベルト５ａを修復或いは交換、または、ジャム処理などのために中間転写ユニット５を画像形成装置本体から脱着する際には、使用者が像坦持体３、像担持体周辺のプロセス手段などを一旦、画像形成装置本体２００から外すことが不可欠である。
【００１８】
このように、従来のカラー画像形成装置では、使用者が複雑な操作をせざるを得なかった。
【特許文献１】特開２００１−２７２８６４号公報
【発明の開示】
【発明が解決しようとする課題】
【００１９】
本発明の目的は、使用者による中間転写体、並びに、像担持体、現像装置などを備えた画像形成部へのアクセスを容易にし、中間転写体の修復或いは交換、又は、ジャム処理時ののジャム処理性、操作性を大幅に向上させたカラー画像形成装置を提供することである。
【課題を解決するための手段】
【００２０】
上記目的は本発明に係るカラー画像形成装置にて達成される。要約すれば、本発明は、トナー像が形成される複数の像担持体と、前記複数の像担持体上のトナー像を順次転写するために前記複数の像担持体に沿って移動可能な中間転写体を有する中間転写ユニットとを備えたカラー画像形成装置において、
前記中間転写ユニットを保持し、前記中間転写ユニットを作動状態と不作動状態との間で移動可能なように、画像形成装置本体に対して開閉自在に取り付けられた中間転写ユニット保持手段を備え、前記中間転写ユニットは、前記中間転写ユニット保持手段に対して着脱自在に装着されていることを特徴とするカラー画像形成装置である。
【００２１】
本発明の一実施態様によると、前記中間転写ユニットは、前記中間転写ユニット保持手段に対して押圧部材により浮動状態にて取り付けられており、前記中間転写ユニット保持手段を前記画像形成装置本体に対して閉状態に設置することにより、前記中間転写ユニットは作動状態に位置決めされる。
【００２２】
他の実施態様によると、前記押圧部材の押圧力は、前記中間転写ユニットが前記画像形成装置本体に位置決めされた際に前記画像形成装置本体との間で発生する反発力よりも大である。
【００２３】
他の実施態様によると、前記中間転写ユニットは、着脱の際に把持する把手部を有し、前記中間転写ユニット保持手段は、前記中間転写ユニットを保持するための固着手段を有する。
【００２４】
他の実施態様によると、前記中間転写ユニット保持手段は、作動状態における中間転写体の回動方向と同方向に回動して開く。
【００２５】
他の実施態様によると、前記複数の像担持体は垂直方向に整列して配置され、前記中間転写体は中間転写ベルトであり、前記中間転写ベルトは、前記像担持体に対向する側において下方より上方へと移動する。
【発明の効果】
【００２６】
本発明によれば、以下の効果を奏し得る。
（１）画像形成装置本体に設けられた中間転写ユニット保持手段、即ち、アクセスドアから、中間転写ユニットをユニット単位で容易に脱着可能であり、中間転写ユニットのメインテナンス及び交換が簡単な操作により容易に達成される。
（２）中間転写ユニットに対して転写材搬送と同じ方向からアクセスできるようにすることで、一つのアクセスドアを開ければ像担持体、現像装置などを備えた画像形成部、中間転写体を備えた中間転写ユニット、及び、転写材搬送部が露出され、中間転写ユニット、像担持体、現像装置、更には、転写材搬送経路の使用者に対する視認性が高く、像担持体、現像装置などを備えた画像形成部及び中間転写ユニットへのアクセスが容易で、それらの交換が可能となる。同時に，転写材ジャム処理性も向上する。
（３）アクセスドアが開状態から閉状態になる場合、アクセスドアに対して押圧部材により浮動状態で取り付けられた中間転写ユニットが自動的に位置決めされ、その操作性が向上する。従って、使用者にとって煩雑な操作なしに、簡単なメインテナンスにより良質な画像を長期にわたり得ることができる。結果的に、カラー画像形成装置のユーザビリティが向上する。
【発明を実施するための最良の形態】
【００２７】
以下、本発明に係るカラー画像形成装置を図面に則して更に詳しく説明する。
【００２８】
実施例１
図１は、本発明の一実施例である電子写真方式を利用したカラー画像形成装置の構成を示す断面図である。本実施例のカラー画像形成装置Ａは、４色フルカラー画像を形成できるレーザビームプリンタである。
【００２９】
本実施例によれば、カラー画像形成装置Ａは、４つの画像形成部ＰＹ、ＰＭ、ＰＣ、ＰＢＫを備え、各画像形成部ＰＹ、ＰＭ、ＰＣ、ＰＢＫは、それぞれ第１の像担持体としてのドラム型の電子写真感光体である感光ドラム１（１Ｙ、１Ｍ、１Ｃ、１ＢＫ）を備えている。感光ドラム１（１Ｙ、１Ｍ、１Ｃ、１ＢＫ）は、駆動手段（図示せず）によって、本実施例では反時計回りに回転駆動される。
【００３０】
感光ドラム１（１Ｙ、１Ｍ、１Ｃ、１ＢＫ）の周りには、感光ドラム１（１Ｙ、１Ｍ、１Ｃ、１ＢＫ）表面を均一に帯電させる帯電装置２（２Ｙ、２Ｍ、２Ｃ、２ＢＫ）、画像情報に基づいて光源、例えば，レーザ光やＬＥＤ光を点滅させ、感光ドラム１（１Ｙ、１Ｍ、１Ｃ、１ＢＫ）上に静電潜像を形成する露光装置３（３Ｙ、３Ｍ、３Ｃ、３ＢＫ）、感光ドラム１（１Ｙ、１Ｍ、１Ｃ、１ＢＫ）上の静電潜像にトナーを付着させて現像化する現像装置４（４Ｙ、４Ｍ、４Ｃ、４ＢＫ）、感光ドラム１（１Ｙ、１Ｍ、１Ｃ、１ＢＫ）上のトナー像が転写される第二の像担持体としての中間転写ユニット５が設置されている。本実施例にて、中間転写ユニット５は、ローラ５１、５２、５３に巻回された転写ベルト５ａを有し、転写ベルト５ａは、時計回りに回動している。また、転写ベルト５ａの内部から各感光ドラム１（１Ｙ、１Ｍ、１Ｃ、１ＢＫ）に対向して、転写ローラ５ｄＹ、５ｄＭ、５ｄＣ、５ｄＢＫが配置されている。
【００３１】
各画像形成部ＰＹ、ＰＭ、ＰＣ、ＰＢＫにはそれぞれ、感光ドラム１（１Ｙ、１Ｍ、１Ｃ、１ＢＫ）を一体に備えた現像装置４（４Ｙ、４Ｍ、４Ｃ、４ＢＫ）が上下方向に垂直に整列して配置されている。従って、中間転写ユニット５の中間転写ベルト５ａは、感光ドラム１（１Ｙ、１Ｍ、１Ｃ、１ＢＫ）と対向する側において、下方より上方へと垂直に移動する。
【００３２】
各現像装置４（４Ｙ、４Ｍ、４Ｃ、４ＢＫ）は、イエローＹ、マゼンタＭ、シアンＣ、ブラックＢＫの４色の色トナーを各々収容する現像剤収容部４ａを有している。各現像剤収容部４ａには、現像剤であるトナーを担持し感光ドラム１と対向した現像部へと搬送する現像剤担持体としての現像ローラ４ｂが配置されている。従って、現像ローラ４ｂにより感光ドラム１上の静電潜像が現像される。
【００３３】
各感光ドラム１（１Ｙ、１Ｍ、１Ｃ、１ＢＫ）上に形成された現像画像（即ち、トナー像）は、対向配置された転写ローラ５（５ｄＹ、５ｄＭ、５ｄＣ、５ｄＢＫ）により中間転写ベルト５ａに各色順次転写され、４色の画像が重ね合わせられる。これによって、中間転写ベルト５ａ上には、静電吸着された一つのフルカラー現像画像が形成される。
【００３４】
中間転写ベルト５ａは、中間転写ベルト５ａ上に一つのカラー現像画像を形成した後、転写材Ｐへ現像画像を転写させる転写位置Ｅまでさらに回動する。
【００３５】
転写材収納箱６内の転写材Ｐは、給紙搬送装置７によって所定のタイミングで前記転写位置Ｅへ供給される。この転写位置Ｅには、中間転写ベルト５ａに対して転写バイアスを発生させる転写手段５ｂが、転写材Ｐを挟んで中間転写ベルト５ａの反対側に設けられている。
【００３６】
本実施例によると、上述の転写位置Ｅにおいて、静電吸着力を利用して中間転写ベルト５ａ上の現像画像は、転写材Ｐに一括して転写される。
【００３７】
さらに、転写材Ｐ上へのトナー像を固着化させるために転写材Ｐは、定着装置８へと搬送される。定着装置８では熱・圧力などを利用して転写材Ｐ上のトナーを溶融・定着させる。定着装置８を通過した転写材Ｐは、搬送ユニット９により排紙トレイ１０へと排出される。
【００３８】
本実施例では、転写材Ｐの搬送経路２０は、転写材収納部６から転写位置Ｅまでの搬送経路２０Ａ、転写位置Ｅから定着装置８までの搬送経路２０Ｂ、及び、定着装置８から排紙トレイ１０までの搬送経路２０Ｃにて構成される。
【００３９】
次に、図２〜図９を参照して、本発明のカラー画像形成装置の特徴ある構成及び動作態様を説明する。
【００４０】
図２〜図４に、本実施例のカラー画像形成装置の概略構成を模式的に示す。図２は、図１に示すカラー画像形成装置の構成を概略線図にて示すものである。図３は、中間転写ユニット５を保持した中間転写ユニット保持手段としてのアクセスドア１００を開いた状態を示す。また、図４は、アクセスドア１００に着脱自在に保持されていた中間転写ユニット５を、アクセスドア１００から取り外した状態を示す。
【００４１】
つまり、本発明によると、中間転写ユニット５は、アクセスドア１００に着脱自在に装着されており、アクセスドア１００を開閉することにより、中間転写ユニット５は、作動状態（図２の状態）と不作動状態（図３の状態）との間で移動可能とされる。即ち、アクセスドア１００を閉状態とすることにより、中間転写ユニット５は作動状態に設置され、また、アクセスドア１００を開状態にもたらすことにより、中間転写ユニット５は不作動状態となる。
【００４２】
更に説明すると、本実施例によれば、アクセスドア１００は、その外方下方端部が画像形成装置本体２００に設けた支持部材２０１に支持軸（支点）２０２により揺動自在に取り付けられている。中間転写ユニット５は、このアクセスドア１００に、例えばガイドレールのような装着手段（図示せず）を用いて着脱自在に取り付けられている。斯かる装着手段は、当業者には周知であるので、更なる説明は省略する。
【００４３】
本実施例によれば、図３にて理解されるように、画像形成装置本体２００の下方にある支持軸２０２をアクセスドア１００の回動中心としている。従って、アクセスドア１００は、支持軸２０２とされる支点を中心として時計回りに、つまり、中間転写ベルト５ａの転写材搬送と同じ時計回りに回動して開けられる。
【００４４】
また、アクセスドア１００が支持軸２０２を中心として回動されると、中間転写ユニット５は、その中間転写ベルト５ａが、垂直方向に並んで配置された感光ドラム１（１Ｙ、１Ｍ、１Ｃ、１ＢＫ）との境界で分割される。
【００４５】
従って、転写材Ｐの搬送経路２０のうち、転写材収納部６から転写位置Ｅまでの搬送経路２０Ａ、及び、転写位置Ｅから定着装置８までの搬送経路２０Ｂにて、転写材Ｐのジャムが起こった場合には、アクセスドア１００を上述のようにして開くことによって搬送経路２０の全てに対して使用者の視認性が確保される。従って、使用者は、ジャム処理を容易に行なうことができる。
【００４６】
また、図４は、中間転写ユニット５を矢印Ｘ方向に引き出すことにより、アクセスドア１００から外されている状態を示す。図４から明らかなように、アクセスドア１００が開かれると、使用者は、中間転写ユニット５を直ぐに認識することができる。
【００４７】
更に、中間転写ユニット５は、装置本体２００側に取り付けられている像担持体１、現像装置４などとは分離、独立しているため、中間転写ユニットをアクセスドア１００から引き出し、中間転写ユニット５を交換することが容易である。
【００４８】
次に、アクセスドア１００の操作により、装置本体２００に対する中間転写ユニット５の位置決めが自動的に行なわれることについて説明する。
【００４９】
本実施例によれば、中間転写ユニット５は、アクセスドア１００に対してガイドレールなどの装着手段（図示せず）により装着し、押圧部材１４、１５にてアクセスドア１００に押圧することにより取り付けられる。即ち、中間転写ユニット５は、本実施例によれば、ボルトなどにてネジ止め固定されることはなく、所謂、フローティング状態（浮動状態）にて取り付けられている。
【００５０】
本実施例によると、中間転写ユニット５には、突き当て部１６、１７が設けられ、また、画像形成装置本体２００側には、前記突き当て部１６、１７に対応して突き当て部材１８、１９が配置される。
【００５１】
従って、図２に示すように、使用者がアクセスドア１００を閉じる操作を行うと、中間転写ユニット５側の突き当て部１６、１７が画像形成装置本体内部に設けられた突き当て部材１８、１９に、それぞれ、突き当て位置Ｇ、Ｈで当接する。
【００５２】
アクセスドア１００が更に閉じられるに従い、弾性部材である押圧部材１４、１５が弾性的に変形し、完全にアクセスドア１００が閉じられる時には、像担持体１及び転写位置Ｅに対しての位置決めが自動的に行なわれる。従って、使用者は良質な画像を得ることができる。
【００５３】
図５を参照して、アクセスドア１００が閉じられ、中間転写ユニット５の像担持体１及び転写位置Ｅに対する位置決めが行われる場合を説明する。
【００５４】
アクセスドア１００が閉じられると、アクセスドア１００に具備された押圧部材１４、１５が中間転写ユニット５を押圧する。そのときの力をＦ14とすると、図５に示すようなｘ−ｙの系では、Ｆ14x及びＦ14yに分力できる。
【００５５】
以下同様に、押圧部材１５が中間転写ユニット５を押圧する力をＦ15とし、４つの画像形成部ＰＹ、ＰＭ、ＰＣ、ＰＢＫにおけるそれぞれの一次転写手段５ｄＢＫ、５ｄＣ、５ｄＭ、５ｄＹに働く各像担持体１ＢＫ、１Ｃ、１Ｍ、１Ｙからの反力をＦ5dBK、Ｆ5dC、Ｆ5dM、Ｆ5dY、そして、二次転写手段５ｂからの中間転写ユニット５への反力をＦ5bとする。
【００５６】
ここで、中間転写ユニット５が像担持体１及び転写位置Ｅに対して当接するためには、Ｆ14と同様に分力すれば、ｘ方向について、Ｆ14x＋Ｆ15x＞Ｆ5dBK＋Ｆ5dC＋Ｆ5dM  ＋Ｆ5dY＋Ｆ5bx、ｙ方向について、Ｆ14y＋Ｆ15y＞Ｆ5byという関係であることが必要である。
【００５７】
すなわち、押圧部材１４、１５の押圧力は、中間転写ユニット５が画像形成装置本体２００に位置決めされた際に画像形成装置本体２００との間で生じる反力よりも大となることが必要である。
【００５８】
図６及び図７は、アクセスドア１００が開状態とされ、中間転写ユニット５がアクセスドア１００に取り付けられている状態を示す。図７は、図６を矢印（ａ）方向より見た図である。
【００５９】
中間転写ユニット５をアクセスドア１００に取り付けるにあたり、アクセドア１００の片側は中間転写ユニット５から突出する少なくとも一つの部材２３がアクセスドア１００に挿入されている。アクセスドア１００の反対側は、アクセスドア１００に取り付けられた固着部材としての、スライド可能なロック部材２１の突出部２５が中間転写ユニット５のロック部材受け部２２に当接している。中間転写ユニット５は、アクセスドア１００に対して適当なガタ、遊びを持った上でロックされる。
【００６０】
斯かる構成とすることにより中間転写ユニット５がアクセスドア１００から押圧部材１４、１５により押圧されて浮動状態とされているにも拘わらず、中間転写ユニット５がドア１１から外れない構成とされる。また、中間転写ユニット５にはその両側面に使用者が両手で確実に取り扱えるように把手部２４が設けられている。
【００６１】
図８及び図９は、中間転写ユニット５が、開状態とされたアクセスドア１００から取り外される時の状態を示す。図９は、図８を矢印（ａ）方向より見た図である。
【００６２】
使用者がロック部材２１を図中矢印Ｘの方向へスライドさせるだけでアクセスドア１００に対する中間転写ユニット５のロックが解除され、中間転写ユニット５が図中矢印Ｙ方向へ取り外すことができる。
【００６３】
使用者が中間転写ユニット５の修復又は交換等で取り外した後、再度取り付ける際にはこの逆の操作を行いさえすれば良い。
【００６４】
上記構成にて、画像形成装置のユーザビリィティ、メインテナンス性が向上する。
【図面の簡単な説明】
【００６５】
【図１】本発明に係るカラー画像形成装置の一実施例の構成を示す断面図である。
【図２】本発明に係るカラー画像形成装置の一実施例の構成を示す模式図で、アクセスドアを閉じた状態を示す。
【図３】本発明に係るカラー画像形成装置の一実施例の構成を示す模式図で、アクセスドアを開いた状態を示す。
【図４】本発明に係るカラー画像形成装置の一実施例の構成を示す模式図で、アクセスドアを開いた状態で、中間転写ユニットを外した状態を示す。
【図５】本発明に係るカラー画像形成装置の一実施例の構成を示す模式図で、像担持体及び転写位置に対する中間転写ユニットの位置決めを説明するための図である。
【図６】本発明に係るカラー画像形成装置にて、アクセスドアを開いた状態で中間転写ユニットがアクセスドアにロックされた状態を示す図である。
【図７】本発明に係るカラー画像形成装置にて、アクセスドアを開いた状態で中間転写ユニットがアクセスドアにロックされた状態を示す図である。
【図８】本発明に係るカラー画像形成装置にて、アクセスドアを開いた状態でアクセスドアから中間転写ユニットがロック解除された状態を示す図である。
【図９】本発明に係るカラー画像形成装置にて、アクセスドアを開いた状態でアクセスドアから中間転写ユニットがロック解除された状態を示す図である。
【図１０】従来例のカラー画像形成装置にて、アクセスドアが閉じた状態を示す。
【図１１】従来例のカラー画像形成装置にて、アクセスドアが開いた状態を示す。
【符号の説明】
【００６６】
１            感光ドラム（像担持体）
２            帯電装置
３            露光装置
４            現像装置
５            中間転写ユニット
５ａ          転写ベルト（中間転写体）
１４、１５    押圧部材
１６、１７    突き当て部
１８、１９    突き当て部材
２０          転写材搬送経路
２１          ロック部材（固着部材）
２２          ロック部材受け部
２３          突出部材
２４          把手部
２５          突出部
１００        アクセスドア（中間転写ユニット保持手段）
２００        画像形成装置本体
２０１        支持軸（支点）
【図１】
2005148411.tif 000003
【図２】
2005148411.tif 000004
【図３】
2005148411.tif 000005
【図４】
2005148411.tif 000006
【図５】
2005148411.tif 000007
【図６】
2005148411.tif 000008
【図７】
2005148411.tif 000009
【図８】
2005148411.tif 000010
【図９】
2005148411.tif 000011
【図１０】
2005148411.tif 000012
【図１１】
2005148411.tif 000013